(57)【要約】【課題】  本考案は製造設備もしくは製造設備列内に配置された検査装置に過剰な移動をさせずに確実に光学面の汚れを除去できる、簡便な装置構成を提案する。【解決手段】  オンライン光学系装置を製造設備のオフライン位置に移動させるための走行手段と、前記オフライン位置に、前記光学系装置の光学面に接触する位置に配置され、モーターで回転するブラシと、ブラシおよび／または光学系装置に洗浄液を供給する配管とを有する洗浄装置と、前記洗浄装置を光学系装置の前記走行手段の走行方向と同一方向に移動させるための走行手段とを備え、前期洗浄装置をオフラインされて停止している光学系装置上を少なくとも一往復以上させて洗浄を行う、オンライン光学系装置の自動洗浄機構。【選択図】図２
0003107210.tif 000002
【実用新案登録請求の範囲】
【請求項１】
製造設備もしくは製造設備列内に配置されたオンライン光学系装置の自動洗浄機構であって、前記オンライン光学系装置を製造設備のオフライン位置に移動させるための走行手段と、前記オフライン位置に、前記光学系装置の光学面に接触する位置に配置され、モーターで回転するブラシと、ブラシおよび／または光学系装置に洗浄液を供給する配管とを有する洗浄装置と、前記洗浄装置を光学系装置の前記走行手段の走行方向と同一方向に移動させるための走行手段とを備え、前期洗浄装置をオフラインされて停止している光学系装置上を少なくとも一往復以上させて洗浄を行うことを特徴とする、オンライン光学系装置の自動洗浄機構。
【請求項２】
前記光学系装置の光学面が上向きで、前記洗浄装置のブラシが光学系装置の上から光学面に当たることを特徴とする請求項１記載のオンライン光学系装置の自動洗浄機構。
【請求項３】
洗浄装置がさらにエアーを吹き付ける配管を有し、洗浄後の少なくとも一移動中に光学面にエアーを吹き付けて乾燥させるようにしたことを特徴とする請求項１または請求項２記載のオンライン光学系装置の自動洗浄機構。
【請求項４】
洗浄装置にブラシを上下させる手段、および／または洗浄装置を上下させる手段を有することを特徴とする請求項１乃至請求項３のいずれかに記載のオンライン光学系装置の自動洗浄機構。
【考案の詳細な説明】
【技術分野】
【０００１】
本考案は製造設備もしくは製造設備列内に設置されるオンライン光学系装置の自動洗浄機構に関する。
【背景技術】
【０００２】
大量生産を行う各種の製造設備には、様々な光学系装置が用いられている。例えば鉄鋼メーカーの場合、素材の通過位置や鋼板の幅を検出する装置、放射温度計、疵や穴などを検出する装置、または単に状況を監視するためのテレビカメラなどが挙げられる。
これらの装置がうまく機能するには光学面が清浄であることが必要であるが、製造設備の周辺は必ずしも清浄な環境ではなく、例えば鉄鋼メーカーでは熱処理や圧延に伴ないヒュームや圧延油、スケール等の付着が避けられない。一部の機器では光学面にエアーを吹き付けて汚れを防止する方法が用いられているが、粘着性の汚れに対してはほとんど効果がない。
光学系機器をオンラインのまま洗浄することは、設備のレイアウト上、また洗浄液の処理などの面から困難であるため、いったんオフラインして洗浄することが主として行われている。これに関して、例えば特許等文献１には、キズ検査装置の自洗装置として、図１に示すような、検査装置１のオフライン方向走行方向中に、昇降機構２で支持された洗浄手段３と乾燥手段４とを設け、検査装置を移動させながら洗浄する機構が開示されている。
【特許文献１】実開昭５８−６５５５４号公報
【考案の開示】
【考案が解決しようとする課題】
【０００３】
特許文献１の自洗装置は比較的簡便な機構で相応の効果が期待できるが、検査装置自体の移動により洗浄を行うため、精密機器を頻繁に移動させることによる故障への懸念から何度も往復移動を行えず、またレールの歪みなど、移動手段が十分に平滑でない場合にはブラシの当たりが不均一になるなどの理由で、汚れを十分に取れない場合があった。
【課題を解決するための手段】
【０００４】
本考案は以上の課題にかんがみ、比較的簡便な構成で、検査装置に過剰な移動をさせずに確実に光学面の汚れを除去する装置構成を提案するもので、以下の構成からなる。
（１）製造設備もしくは製造設備列内に配置されたオンライン光学系装置の自動洗浄機構であって、前記オンライン光学系装置を製造設備のオフライン位置に移動させるための走行手段と、前記オフライン位置に、前記光学系装置の光学面に接触する位置に配置され、モーターで回転するブラシと、ブラシおよび／または光学系装置に洗浄液を供給する配管とを有する洗浄装置と、前記洗浄装置を光学系装置の前記走行手段の走行方向と同一方向に移動させるための走行手段とを備え、前期洗浄装置をオフラインされて停止している光学系装置上を少なくとも一往復以上させて洗浄を行うことを特徴とする、オンライン光学系装置の自動洗浄機構。
（２）前記光学系装置の光学面が上向きで、前記洗浄装置のブラシが光学系装置の上から光学面に当たることを特徴とする（１）記載のオンライン光学系装置の自動洗浄機構。
（３）洗浄装置がさらにエアーを吹き付ける配管を有し、洗浄後の少なくとも一移動中に光学面にエアーを吹き付けて乾燥させるようにしたことを特徴とする（１）または（２）記載のオンライン光学系装置の自動洗浄機構。
（４）洗浄装置にブラシを上下させる手段、および／または洗浄装置を上下させる手段を有することを特徴とする（１）乃至（３）のいずれかに記載のオンライン光学系装置の自動洗浄機構。
【考案の効果】
【０００５】
本考案の装置構成により、比較的簡便な装置構成でオンライン光学系装置の光学面の汚れを十分に除去できる。
【考案を実施するための最良の形態】
【０００６】
以下に本考案について説明する。本考案が対象とするオンライン光学系装置の種類は特に限定しないが、受光機器やカメラ、照明などを内蔵し、光学面を生産物に向けて配置された装置全般に関し、特に製造設備の環境上、汚れの発生しやすい場合に適用される。
本考案の装置構成の一例を図２に示す。図示していない図面左の製造設備から、オンライン光学系装置１が右方向に進んでオフラインし、停止すると、その上方に設置されたレール５に沿って、本考案の洗浄装置６が移動する。そして、光学系装置の上でブラシ２を下降させ、洗浄装置６が移動しながら光学系装置１の上面を洗浄する。洗浄装置６が光学系装置１を１往復以上して洗浄が完了した後、ブラシ２が上昇し、光学系装置はオンラインに移動する。
【０００７】
このように本考案では、光学系装置を固定し、洗浄装置の方が自走しながら洗浄を行うため、時間の許す限り往復回数を増やして洗浄を行うことができる。またブラシの当たりも調整が容易にできる。
次に本考案の洗浄装置の構成の一例を図３に示す。洗浄を行うブラシ２は、モーター７の回転をベルト８を介して伝達され、昇降手段９によって上下されて、洗浄時には下降して光学系装置に接触する。また洗浄液供給配管１０をブラシ近傍に配置し、洗浄時に洗浄液を供給する。
【０００８】
またブラシから少し離れて、エアーを光学系装置に吹き付ける配管１１を配置し、洗浄が終わってブラシを上昇させた後、エアーを吹き付けて乾燥させる。または図面右方向に進むときに、ブラシによる洗浄とエアー吹き付けを同時に行ってもよい。エアー配管の途中にヒーター等を配置して、エアーを温風にすれば、さらに乾燥速度を早めることができる。
この洗浄装置６は、車輪１２によってレール５に配置され、内蔵もしくは外部の駆動装置によって、図面左右方向に、光学系装置に沿って移動する。
以上の構成は、特に鋼板等の幅の広い製品を製造する設備に用いられる光学系機器に対して有効である。
【図面の簡単な説明】
【０００９】
【図１】従来の洗浄装置の構成を示す概略図である。
【図２】本考案の洗浄装置の構成を示す概略図である。
【図３】本考案の洗浄装置の概略図である。
【符号の説明】
【００１０】
１  光学系装置
２  ブラシ
３  昇降装置
４  乾燥手段
５  洗浄装置の走行用レール
６  洗浄装置
７  ブラシ回転用モーター
８  ブラシ回転伝達ベルト
９  ブラシ昇降装置
１０  洗浄液供給配管
１１  エアー配管
１２  洗浄装置駆動車輪
【図１】
0003107210.tif 000003
【図２】
0003107210.tif 000004
【図３】
0003107210.tif 000005